(57)【要約】　　　（修正有）【課題】マイナスネジ及びプラスネジの頭部変形が生じる。深奥部の作業がしにくい。プラスネジも締め付け可能なドライバーで締め付け強度が適正になるネジ。深奥部の作業も出来るネジで従来ドライバーも使用可能な谷ネジの提供。【解決手段】従来マイナスドライバーも使用可能にするため谷溝上部にマイナス溝を設けた谷ネジＡは接触面積が大きいので深奥部作業用ドライバーＢで深奥部作業が可能。プラスネジを扱える谷ネジ締め付け用ドライバーＤで均等に力が掛かるため適正な締め付けが可能でありネジ頭部が変形し難い谷ネジＡ１。ネジ頭部に谷溝を設ける。【選択図】　　図１
2004076936.tif 000002
【特許請求の範囲】
【請求項１】
ネジ類の頭部に谷形のネジ溝を設けた谷ネジ
【請求項２】
谷ネジ締め付け部を締め付ける山形のドライバー
【請求項３】
谷ネジ上部にマイナス溝を設けマイナスドライバーでも締め付
け可能な谷ネジで深奥部の作業も可能なネジである
【請求項４】
深奥部作業用ドライバー
【発明の詳細な説明】
【０００１】
【発明の属する技術分野】
本発明は、ネジ類の頭部に逆三角形又は台形で谷形のネジ溝を設け三角形又は台形の山形のドライバーで締結部を適正に締め付けられる。谷ネジ上部にマイナス溝を設け従来のマイナスドライバーも使用可能で深奥部の作業もドライバーとネジの接触面が多いので作業が容易である。またプラスネジを締め付けることも出来る技術に関するものである。
【０００２】
【従来の技術】
従来のプラス及びマイナスネジは締め付け時にネジの頭部が変形するなどの欠点があった。プラスネジはマイナスドライバーが使用できなかった
【０００３】
【発明が解決しようとする課題】
従来のマイナス・プラスネジは頭部が変形しやすい欠点がありネジの頭部の形状により締め付け過ぎてネジが折れる事があった。深奥部の作業が容易でなかった本発明はこれらの欠点を除く為になされたものである。
【０００４】
【課題を解決するための手段】
上記目的を達成する為ネジ頭部に逆三角形又は台形の谷形溝を設け三角形又は台形の山形ドライバーを使用して締め付け、緩める作業を行う。従来のマイナスドライバーも使用できるように谷形溝の上部にマイナス溝を設け深奥部の作業もネジとドライバーの接触面多いので容易になった
【０００５】
本発明は、谷山形の締め付け部で谷山全体に均等な力が掛りネジ頭部の変形が避けられ山形ドライバーでプラスネジを締め付け緩めることが可能である。
【０００６】
【発明の実施の形態】
以下本発明の実施の形態については図１谷ネジ上部にマイナス溝を設け従来ドライバーも使用できドライバーとネジの接触面が多いので深奥部の作業が容易な谷形ネジＡを深奥部作業用山形ドライバーＢで同ネジを締め付ける図２は同ネジの頭部である図３は同ネジの正面断面図であり図４は同ネジの側面断面図である。図５は谷ネジ頭部の図で図６は正面断面図である図７は側面断面図である図５〜図７のネジＡ１は頭部が変形し難く適正な締め付け強度を得ることが出来る図８は図５〜図７のネジを山形ドライバーで締め付ける図でプラスネジの締め付けも出来る。
【０００７】
【発明の効果】
ネジ頭部が変形しにくい、適正な締め付け強度が得られる、プラスネジを山形ドライバーで締め付け及び緩められ、ドライバーとネジの接触面積が大きいので作業のしにくい深奥部の作業がしやすい、構造が簡単であり製造しやすい。また谷溝の上部にマイナス溝を設けたネジもあるので従来の様にマイナスドライバーを使用可能である
【図面の簡単な説明】
【図１】山形ドライバー深奥部作業用Ｂで谷形ネジＡを締め付け従来のマイナスドライバーも使用可能なネジを締め付けようとしている斜視図
【図２】谷形溝上部にマイナス溝を設けたネジ頭部の上面図である。
【図３】谷形溝上部にマイナス溝を設けマイナスドライバーも使用可の谷ネジの正面断面図
【図４】谷形溝上部にマイナス溝を設けマイナスドライバーも使用可の谷ネジの側面断面図
【図５】谷形溝を設けた谷ネジの頭部の上面図
【図６】谷形ネジの正面断面図
【図７】谷ネジの側面断面図
【図８】山形ドライバー（プラスネジも締め付け緩めるが可能）で谷ネジを締め付ける図
【符号の説明】
Ａ　従来マイナスドライバーで締め付け可能、谷溝上部にマイナス溝を設けたネ
ジ
Ｂ　深奥部作業用ドライバー
Ｃ　ネジ螺旋部分
Ａ１谷ネジ
Ｄ　山形ドライバープラスネジへも使用可能である
Ｅ　Ａ・Ａ１の谷ネジ頭部
【図１】
2004076936.tif 000003
【図２】
2004076936.tif 000004
【図３】
2004076936.tif 000005
【図４】
2004076936.tif 000006
【図５】
2004076936.tif 000007
【図６】
2004076936.tif 000008
【図７】
2004076936.tif 000009
【図８】
2004076936.tif 000010
【手続補正書】
【提出日】平成15年7月8日(2003.7.8)
【手続補正１】
【補正対象書類名】明細書
【補正対象項目名】請求項４
【補正方法】変更
【補正の内容】
【請求項４】
ネジ頭部の谷溝と直角にマイナスドライバー用溝を設けた谷ネジ
【手続補正２】
【補正対象書類名】明細書
【補正対象項目名】０００６
【補正方法】変更
【補正の内容】
【０００６】
以下本発明の実施の形態については図１谷ネジ上部にマイナス溝を設け従来ドライバーも使用できドライバーとネジの接触面が多いので深奥部の作業が容易な谷形ネジＡを深奥部作業用山形ドライバーＢで同ネジを締め付ける図２は同ネジの頭部である図３は同ネジの正面断面図であり図４は同ネジの側面断面図である。図５は谷ネジ頭部の図で図６は正面断面図である図７は側面断面図である図５〜図７のネジＡ１は頭部が変形し難く適正な締め付け強度を得ることが出来る図８は図５〜図７のネジを山形ドライバーで締め付ける図でプラスネジの締め付けも出来る。図９は谷ネジ頭部の谷溝と直角に従来ドライバー使用可能のマイナス溝を設けた上面図、図１０は正面断面図、図１１は側面断面図である。
【手続補正３】
【補正対象書類名】明細書
【補正対象項目名】図９
【補正方法】追加
【補正の内容】
【図９】谷ネジ頭部の谷溝と直角に従来ドライバー用マイナス溝を設けた上面図
【手続補正４】
【補正対象書類名】明細書
【補正対象項目名】図１０
【補正方法】追加
【補正の内容】
【図１０】正面断面図
【手続補正５】
【補正対象書類名】明細書
【補正対象項目名】図１１
【補正方法】追加
【補正の内容】
【図１１】側面断面図
【手続補正６】
【補正対象書類名】明細書
【補正対象項目名】符号の説明
【補正方法】変更
【補正の内容】
【符号の説明】
Ａ　従来マイナスドライバーで締め付け可能谷溝上部にマイナス溝を設けたネジ
Ｂ　深奥部作業用ドライバー
Ｃ　ネジ螺旋部分
Ａ１　谷ネジ
Ｄ　山形ドライバー、プラスネジへも使用可能である
Ｅ　Ａ・Ａ１の谷ネジ頭部
Ｆ　谷溝と直角に従来ドライバー用マイナス溝を設けた谷ネジ頭部
【手続補正７】
【補正対象書類名】図面
【補正対象項目名】図９
【補正方法】追加
【補正の内容】
【図９】
2004076936.tif 000011
【手続補正８】
【補正対象書類名】図面
【補正対象項目名】図１０
【補正方法】追加
【補正の内容】
【図１０】
2004076936.tif 000012
【手続補正９】
【補正対象書類名】図面
【補正対象項目名】図１１
【補正方法】追加
【補正の内容】
【図１１】
2004076936.tif 000013